【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のユーザ機器（ＵＥ）において、第１のデータ送信と第２のデータ送信とを含む合成信号を受信することと、ここにおいて、前記第１のデータ送信または前記第２のデータ送信のうちの少なくとも１つは、シングルセルポイントツーマルチポイント（ＳＣ−ＰＴＭ）送信である、
前記第１のＵＥにおいて、前記第１のＵＥを対象とする前記第１のデータ送信のためのシンボルの第１のセットを決定することと、
前記第１のＵＥにおいて、第２のＵＥを対象とする前記第２のデータ送信のためのシンボルの第２のセットを決定することと、ここにおいて、前記第１のデータ送信と前記第２のデータ送信とは、少なくとも１つの重複するリソース要素を含み、シンボルの前記第１のセットとシンボルの前記第２のセットとは、少なくとも１つのシンボルだけ異なる、
前記第１のＵＥにおいて、シンボルの前記決定された第１のセットおよびシンボルの前記決定された第２のセットに少なくとも部分的に基づいて、前記第１のデータ送信を復号することと、
を備え、
前記第１のデータ送信は、前記第１のデータ送信が前記ＳＣ−ＰＴＭ送信であるときに干渉消去を実行することなしに復号される、方法。
【請求項２】
前記第１のデータ送信の開始シンボルは、第２のデータ送信の開始シンボルとは異なる、請求項１に記載の方法。
【請求項３】
ＵＥのグループに関連付けられたグループ固有無線ネットワーク一時識別子（ＲＮＴＩ）を受信すること、
をさらに備え、
前記第１のデータ送信または前記第２のデータ送信のうちの少なくとも１つは、前記グループ固有ＲＮＴＩに少なくとも部分的に基づいて復号される、
請求項１に記載の方法。
【請求項４】
前記第１のＵＥに関連付けられたＵＥ固有無線ネットワーク一時識別子（ＲＮＴＩ）を受信することと、
干渉消去情報を受信することと、
をさらに備え、
前記第１のデータ送信または前記第２の送信のうちの少なくとも１つは、前記ＵＥ固有ＲＮＴＩおよび前記干渉消去情報に少なくとも部分的に基づいて復号される、
請求項１に記載の方法。
【請求項５】
前記第２のデータ送信は前記合成信号のベースレイヤであり、前記第１のデータ送信は前記合成信号のエンハンスメントレイヤである、請求項１に記載の方法。
【請求項６】
前記ベースレイヤは１つまたは複数のレイヤを含む、請求項５に記載の方法。
【請求項７】
前記エンハンスメントレイヤは１つまたは複数のレイヤを含む、請求項５に記載の方法。
【請求項８】
前記第１のデータ送信と前記第２のデータ送信とは非直交である、請求項１に記載の方法。
【請求項９】
前記第１のデータ送信または前記第２のデータ送信のうちの少なくとも１つは、１つまたは複数のユニキャスト送信を備える、請求項１に記載の方法。
【請求項１０】
前記第１のデータ送信は基準信号の第１のタイプを含み、前記第２のデータ送信は基準信号の第２のタイプを含む、請求項１に記載の方法。
【請求項１１】
基準信号の前記第１のタイプと基準信号の前記第２のタイプとは、同じである、請求項１０に記載の方法。
【請求項１２】
基準信号の前記第１のタイプと基準信号の前記第２のタイプとは、異なる、請求項１０に記載の方法。
【請求項１３】
基準信号の前記第１のタイプおよび基準信号の前記第２のタイプは、各々、復調基準信号（ＤＭ−ＲＳ）、ＵＥ固有基準信号（ＵＥ−ＲＳ）、またはセル固有基準信号（ＣＲＳ）のうちの１つを含む、請求項１０に記載の方法。
【請求項１４】
前記第１のデータ送信と前記第２のデータ送信とは、同じプリコーディングを含む、請求項１に記載の方法。
【請求項１５】
前記第１のデータ送信に関連付けられた第１のプリコーディングは、前記第２のデータ送信に関連付けられた第２のプリコーディングとは異なる、請求項１に記載の方法。
【請求項１６】
前記第１のデータ送信と前記第２のデータ送信とは、同じサイクリックプレフィックスを含む、請求項１に記載の方法。
【請求項１７】
ワイヤレス通信の方法であって、
ユーザ機器（ＵＥ）の第１のグループのための第１のデータ送信を生成することと、ここにおいて、前記第１のデータ送信は、シングルセルポイントツーマルチポイント（ＳＣ−ＰＴＭ）送信である、
ＵＥの第２のグループのための第２のデータ送信を生成することと、
前記第１のデータ送信がＵＥの前記第１のグループによって復号されるときに干渉消去が実行されないように、前記第１のデータ送信と前記第２のデータ送信とを１つの合成信号に合成することと、
前記合成信号をＵＥの前記第１のグループとＵＥの前記第２のグループとに送信することと、
を備え、
前記第１のデータ送信と前記第２のデータ送信とは、少なくとも１つの重複するリソース要素を含み、前記第１のデータ送信のシンボルの第１のセットと前記第２のデータ送信のシンボルの第２のセットとは、少なくとも１つのシンボルだけ異なる、方法。
【請求項１８】
グループ固有無線ネットワーク一時識別子（ＲＮＴＩ）をＵＥの前記第１のグループに送信することと、
干渉消去情報をＵＥの前記第２のグループに送信することと、
異なるＵＥ固有ＲＮＴＩをＵＥの前記第２のグループ中の各ＵＥに送信することと、
をさらに備える、請求項１７に記載の方法。
【請求項１９】
前記第１のデータ送信は前記合成信号のベースレイヤであり、前記第２のデータ送信は前記合成信号のエンハンスメントレイヤであり、
前記ベースレイヤは１つまたは複数のレイヤを含み、
前記エンハンスメントレイヤは１つまたは複数のレイヤを含み、
前記第２のデータ送信は１つまたは複数のユニキャスト送信を備える、
請求項１７に記載の方法。
【請求項２０】
ワイヤレス通信のための装置であって、
第１のユーザ機器（ＵＥ）において、第１のデータ送信と第２のデータ送信とを含む合成信号を受信するための手段と、
前記第１のＵＥにおいて、前記第１のＵＥを対象とする前記第１のデータ送信のためのシンボルの第１のセットを決定するための手段と、ここにおいて、前記第１のデータ送信または前記第２のデータ送信のうちの少なくとも１つは、シングルセルポイントツーマルチポイント（ＳＣ−ＰＴＭ）送信である、
前記第１のＵＥにおいて、第２のＵＥを対象とする前記第２のデータ送信のためのシンボルの第２のセットを決定するための手段と、ここにおいて、前記第１のデータ送信と前記第２のデータ送信とは、少なくとも１つの重複するリソース要素を含み、シンボルの前記第１のセットとシンボルの前記第２のセットとは、少なくとも１つのシンボルだけ異なる、
前記第１のＵＥにおいて、シンボルの前記決定された第１のセットおよびシンボルの前記決定された第２のセットに少なくとも部分的に基づいて、前記第１のデータ送信のうちの少なくとも１つを復号するための手段と、
を備え、
前記第１のデータ送信は、前記第１のデータ送信が前記ＳＣ−ＰＴＭ送信であるときに干渉消去を実行することなしに復号される、装置。
【請求項２１】
前記第１のデータ送信の開始シンボルは、第２のデータ送信の開始シンボルとは異なる、請求項２０に記載の装置。
【請求項２２】
ＵＥのグループに関連付けられたグループ固有無線ネットワーク一時識別子（ＲＮＴＩ）を受信するための手段、
をさらに備え、
復号するための前記手段は、前記グループ固有ＲＮＴＩに少なくとも部分的に基づいて、前記第１のデータ送信または前記第２のデータ送信のうちの少なくとも１つを復号するように構成された、
請求項２０に記載の装置。
【請求項２３】
前記第１のＵＥに関連付けられたＵＥ固有無線ネットワーク一時識別子（ＲＮＴＩ）を受信するための手段と、
干渉消去情報を受信するための手段と、
をさらに備え、
復号するための前記手段は、前記ＵＥ固有ＲＮＴＩおよび前記干渉消去情報に少なくとも部分的に基づいて、前記第１のデータ送信または前記第２のデータ送信のうちの少なくとも１つを復号するように構成された、
請求項２０に記載の装置。
【請求項２４】
前記第２のデータ送信は前記合成信号のベースレイヤであり、前記第１のデータ送信は前記合成信号のエンハンスメントレイヤであり、
前記ベースレイヤは１つまたは複数のレイヤを含み、
前記エンハンスメントレイヤは１つまたは複数のレイヤを含む、
請求項２０に記載の装置。
【請求項２５】
ワイヤレス通信のための装置であって、
メモリと、
前記メモリに結合された少なくとも１つのプロセッサと、
を備え、前記少なくとも１つのプロセッサは、
第１のユーザ機器（ＵＥ）において、第１のデータ送信と第２のデータ送信とを含む合成信号を受信することと、ここにおいて、前記第１のデータ送信または前記第２のデータ送信のうちの少なくとも１つは、シングルセルポイントツーマルチポイント（ＳＣ−ＰＴＭ）送信である、
前記第１のＵＥにおいて、前記第１のＵＥを対象とする第１のデータ送信のためのシンボルの第１のセットを決定することと、
前記第１のＵＥにおいて、第２のＵＥを対象とする第２のデータ送信のためのシンボルの第２のセットを決定することと、ここにおいて、前記第１のデータ送信と前記第２のデータ送信とは、少なくとも１つの重複するリソース要素を含み、ここにおいて、シンボルの前記第１のセットとシンボルの前記第２のセットとは、少なくとも、１つのシンボルだけ異なる、
前記第１のＵＥにおいて、シンボルの前記決定された第１のセットおよびシンボルの前記決定された第２のセットに少なくとも部分的に基づいて、前記第１のデータ送信を復号することと、
を行うように構成され、
前記第１のデータ送信は、前記第１のデータ送信が前記ＳＣ−ＰＴＭ送信であるときに干渉消去を実行することなしに復号される、装置。
【請求項２６】
前記第１のデータ送信の開始シンボルは、第２のデータ送信の開始シンボルとは異なる、請求項２５に記載の装置。
【請求項２７】
前記少なくとも１つのプロセッサは、
ＵＥのグループに関連付けられたグループ固有無線ネットワーク一時識別子（ＲＮＴＩ）を受信すること、
を行うようにさらに構成され、
前記少なくとも１つのプロセッサは、前記グループ固有ＲＮＴＩに少なくとも部分的に基づいて、前記第１のデータ送信または前記第２のデータ送信のうちの少なくとも１つを復号するように構成された、
請求項２５に記載の装置。
【請求項２８】
前記少なくとも１つのプロセッサは、
前記第１のＵＥに関連付けられたＵＥ固有無線ネットワーク一時識別子（ＲＮＴＩ）を受信することと、
干渉消去情報を受信することと、
を行うようにさらに構成され、
ここにおいて、前記少なくとも１つのプロセッサは、ＵＥ固有ＲＮＴＩおよび前記干渉消去情報に少なくとも部分的基づいて、前記第１のデータ送信または前記第２のデータ送信のうちの少なくとも１つを復号するように構成された、
請求項２５に記載の装置。
【請求項２９】
前記第２のデータ送信は前記合成信号のベースレイヤであり、前記第１のデータ送信は前記合成信号のエンハンスメントレイヤであり、
前記ベースレイヤは１つまたは複数のレイヤを含み、
前記エンハンスメントレイヤは１つまたは複数のレイヤを含む、
請求項２５に記載の装置。
【手続補正２】
【補正対象書類名】明細書
【補正対象項目名】００７９
【補正方法】変更
【補正の内容】
【００７９】
[0088]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「のための手段」という語句を使用して明確に具陳されていない限り、ミーンズプラスファンクションとして解釈されるべきではない。
以下に本願の出願当初の特許請求の範囲に記載された発明を付記する。
［Ｃ１］
ワイヤレス通信の方法であって、
第１のユーザ機器（ＵＥ）において、第１のデータ送信と第２のデータ送信とを含む合成信号を受信することと、
前記第１のＵＥにおいて、前記第１のＵＥを対象とする前記第１のデータ送信のためのシンボルの第１のセットを決定することと、
前記第１のＵＥにおいて、第２のＵＥを対象とする前記第２のデータ送信のためのシンボルの第２のセットを決定することと、ここにおいて、前記第１のデータ送信と前記第２のデータ送信とは、少なくとも１つの重複するリソース要素を含み、シンボルの前記第１のセットとシンボルの前記第２のセットとは、少なくとも１つのシンボルだけ異なる、
前記第１のＵＥにおいて、シンボルの前記決定された第１のセットおよびシンボルの前記決定された第２のセットに少なくとも部分的に基づいて、前記第１のデータ送信を復号することと、
を備える、方法。
［Ｃ２］
前記第１のデータ送信の開始シンボルは、第２のデータ送信の開始シンボルとは異なる、Ｃ１に記載の方法。
［Ｃ３］
ＵＥのグループに関連付けられたグループ固有無線ネットワーク一時識別子（ＲＮＴＩ）を受信すること、
をさらに備え、
前記第１のデータ送信または前記第２のデータ送信のうちの少なくとも１つは、前記グループ固有ＲＮＴＩに少なくとも部分的に基づいて復号される、
Ｃ１に記載の方法。
［Ｃ４］
前記第１のＵＥに関連付けられたＵＥ固有無線ネットワーク一時識別子（ＲＮＴＩ）を受信することと、
干渉消去情報を受信することと、
をさらに備え、
前記第１のデータ送信または前記第２の送信のうちの少なくとも１つは、前記ＵＥ固有ＲＮＴＩおよび前記干渉消去情報に少なくとも部分的に基づいて復号される、
Ｃ１に記載の方法。
［Ｃ５］
前記第２のデータ送信は前記合成信号のベースレイヤであり、前記第１のデータ送信は前記合成信号のエンハンスメントレイヤである、Ｃ１に記載の方法。
［Ｃ６］
前記ベースレイヤは１つまたは複数のレイヤを含む、Ｃ５に記載の方法。
［Ｃ７］
前記エンハンスメントレイヤは１つまたは複数のレイヤを含む、Ｃ５に記載の方法。
［Ｃ８］
前記第１のデータ送信と前記第２のデータ送信とは非直交である、Ｃ１に記載の方法。
［Ｃ９］
前記第１のデータ送信または前記第２のデータ送信のうちの少なくとも１つは、シグナルセルポイントツーマルチポイント（ＳＣ−ＰＴＭ）送信である、Ｃ１に記載の方法。
［Ｃ１０］
前記第１のデータ送信または前記第２のデータ送信のうちの少なくとも１つは、１つまたは複数のユニキャスト送信を備える、Ｃ９に記載の方法。
［Ｃ１１］
前記第１のデータ送信は第１の基準信号タイプを含み、前記第２のデータ送信は第２の基準信号タイプを含む、Ｃ１に記載の方法。
［Ｃ１２］
前記第１の基準信号タイプと前記第２の基準信号タイプとは、同じタイプである、Ｃ１１に記載の方法。
［Ｃ１３］
前記第１の基準信号タイプと前記第２の基準信号タイプとは、異なるタイプである、Ｃ１１に記載の方法。
［Ｃ１４］
前記第１の基準信号タイプおよび前記第２の基準信号タイプは、各々、復調基準信号（ＤＭ−ＲＳ）、ＵＥ固有基準信号（ＵＥ−ＲＳ）、またはセル固有基準信号（ＣＲＳ）のうちの１つを含む、Ｃ１１に記載の方法。
［Ｃ１５］
前記第１のデータ送信と前記第２のデータ送信とは、同じプリコーディングを含む、Ｃ１に記載の方法。
［Ｃ１６］
前記第１のデータ送信に関連付けられた第１のプリコーディングは、前記第２のデータ送信に関連付けられた第２のプリコーディングとは異なる、Ｃ１に記載の方法。
［Ｃ１７］
前記第１のデータ送信と前記第２のデータ送信とは、同じサイクリックプレフィックスを含む、Ｃ１に記載の方法。
［Ｃ１８］
ワイヤレス通信の方法であって、
ユーザ機器（ＵＥ）の第１のグループのための第１のデータ送信を生成することと、
ＵＥの第２のグループのための第２のデータ送信を生成することと、
前記第１のデータ送信と前記第２のデータ送信とを１つの合成信号に合成することと、
前記合成信号をＵＥの前記第１のグループとＵＥの前記第２のグループとに送信することと、
を備え、
前記第１のデータ送信と前記第２のデータ送信とは、少なくとも１つの重複するリソース要素を含み、シンボルの前記第１のセットとシンボルの前記第２のセットとは、少なくとも１つのシンボルだけ異なる、方法。
［Ｃ１９］
グループ固有無線ネットワーク一時識別子（ＲＮＴＩ）をＵＥの前記第１のグループに送信することと、
干渉消去情報をＵＥの前記第２のグループに送信することと、
異なるＵＥ固有ＲＮＴＩをＵＥの前記第２のグループ中の各ＵＥに送信することと、
をさらに備える、Ｃ１８に記載の方法。
［Ｃ２０］
前記第１のデータ送信は前記合成信号のベースレイヤであり、前記第２のデータ送信は前記合成信号のエンハンスメントレイヤであり、
前記ベースレイヤは１つまたは複数のレイヤを含み、
前記エンハンスメントレイヤは１つまたは複数のレイヤを含み、
前記第１の信号はシグナルセルポイントツーマルチポイント（ＳＣ−ＰＴＭ）送信であり、
前記第２の信号は１つまたは複数のユニキャスト送信を備える、
Ｃ１８に記載の方法。
［Ｃ２１］
ワイヤレス通信のための装置であって、
第１のユーザ機器（ＵＥ）において、第１のデータ送信と第２のデータ送信とを含む合成信号を受信するための手段と、
前記第１のＵＥにおいて、前記第１のＵＥを対象とする前記第１のデータ送信のためのシンボルの第１のセットを決定するための手段と、
前記第１のＵＥにおいて、第２のＵＥを対象とする前記第２のデータ送信のためのシンボルの第２のセットを決定するための手段と、ここにおいて、前記第１のデータ送信と前記第２のデータ送信とは、少なくとも１つの重複するリソース要素を含み、シンボルの前記第１のセットとシンボルの前記第２のセットとは、少なくとも１つのシンボルだけ異なる、
前記第１のＵＥにおいて、シンボルの前記決定された第１のセットおよびシンボルの前記決定された第２のセットに少なくとも部分的に基づいて、前記第１のデータ送信のうちの少なくとも１つを復号するための手段と、
を備える、装置。
［Ｃ２２］
前記第１のデータ送信の開始シンボルは、第２のデータ送信の開始シンボルとは異なる、Ｃ２１に記載の装置。
［Ｃ２３］
ＵＥのグループに関連付けられたグループ固有無線ネットワーク一時識別子（ＲＮＴＩ）を受信するための手段、
をさらに備え、
復号するための前記手段は、前記グループ固有ＲＮＴＩに少なくとも部分的に基づいて、前記第１のデータ送信または前記第２のデータ送信のうちの少なくとも１つを復号するように構成された、
Ｃ２１に記載の装置。
［Ｃ２４］
前記第１のＵＥに関連付けられたＵＥ固有無線ネットワーク一時識別子（ＲＮＴＩ）を受信するための手段と、
干渉消去情報を受信するための手段と、
をさらに備え、
復号するための前記手段は、前記ＵＥ固有ＲＮＴＩおよび前記干渉消去情報に少なくとも部分的に基づいて、前記第１のデータ送信または前記第２のデータ送信のうちの少なくとも１つを復号するように構成された、
Ｃ２１に記載の装置。
［Ｃ２５］
前記第２のデータ送信は前記合成信号のベースレイヤであり、前記第１のデータ送信は前記合成信号のエンハンスメントレイヤであり、
前記ベースレイヤは１つまたは複数のレイヤを含み、
前記エンハンスメントレイヤは１つまたは複数のレイヤを含む、
Ｃ２１に記載の装置。
［Ｃ２６］
ワイヤレス通信のための装置であって、
メモリと、
前記メモリに結合された少なくとも１つのプロセッサと、
を備え、前記少なくとも１つのプロセッサは、
第１のユーザ機器（ＵＥ）において、第１のデータ送信と第２のデータ送信とを含む合成信号を受信することと、
前記第１のＵＥにおいて、前記第１のＵＥを対象とする第１のデータ送信のためのシンボルの第１のセットを決定することと、
前記第１のＵＥにおいて、第２のＵＥを対象とする第２のデータ送信のためのシンボルの第２のセットを決定することと、ここにおいて、前記第１のデータ送信と前記第２のデータ送信とは、少なくとも１つの重複するリソース要素を含み、ここにおいて、シンボルの前記第１のセットとシンボルの前記第２のセットとは、少なくとも、１つのシンボルだけ異なる、
前記第１のＵＥにおいて、シンボルの前記決定された第１のセットおよびシンボルの前記決定された第２のセットに少なくとも部分的に基づいて、前記第１のデータ送信を復号することと、
を行うように構成された、
装置。
［Ｃ２７］
前記第１のデータ送信の開始シンボルは、第２のデータ送信の開始シンボルとは異なる、Ｃ２６に記載の装置。
［Ｃ２８］
前記少なくとも１つのプロセッサは、
ＵＥのグループに関連付けられたグループ固有無線ネットワーク一時識別子（ＲＮＴＩ）を受信すること、
を行うようにさらに構成され、
前記少なくとも１つのプロセッサは、前記グループ固有ＲＮＴＩに少なくとも部分的に基づいて、前記第１のデータ送信または前記第２のデータ送信のうちの少なくとも１つを復号するように構成された、
Ｃ２６に記載の装置。
［Ｃ２９］
前記少なくとも１つのプロセッサは、
前記第１のＵＥに関連付けられたＵＥ固有無線ネットワーク一時識別子（ＲＮＴＩ）を受信することと、
干渉消去情報を受信することと、
を行うようにさらに構成され、
ここにおいて、前記少なくとも１つのプロセッサは、ＵＥ固有ＲＮＴＩおよび前記干渉消去情報に少なくとも部分的基づいて、前記第１のデータ送信または前記第２のデータ送信のうちの少なくとも１つを復号するように構成された、
Ｃ２６に記載の装置。
［Ｃ３０］
前記第２のデータ送信は前記合成信号のベースレイヤであり、前記第１のデータ送信は前記合成信号のエンハンスメントレイヤであり、
前記ベースレイヤは１つまたは複数のレイヤを含み、
前記エンハンスメントレイヤは１つまたは複数のレイヤを含む、
Ｃ２６に記載の装置。